(57)【要約】【課題】本発明は、ユーザがキーボードを利用して容易にデータを入力することができる電子装置及び人とコンピュータとの相互作用の方法を提供することを目的とする。【解決手段】本発明の電子装置は、本体部材及び前記本体部材に回転可能に設置されたディスプレイ部材を備え、前記ディスプレイ部材には、ディスプレイが設置されており、前記本体部材の操作面には、タッチパネルが設置されており、前記タッチパネルは、仮想キーボードが表示され、前記仮想キーボードは、複数の仮想キーを備え、各仮想キーは、１つの文字にそれぞれ対応し、各文字は対応する各仮想キーに表示され、前記タッチパネルは、ユーザが前記仮想キーボードに対する操作に基づいて、ユーザが入力したデータを識別し、且つ受信する。【選択図】図７
2015022772.tif 000002
【特許請求の範囲】
【請求項１】
本体部材及び前記本体部材に回転可能に設置されたディスプレイ部材を備え、前記ディスプレイ部材には、ディスプレイが設置されている電子装置において、
前記本体部材の操作面には、タッチパネルが設置されており、前記タッチパネルは、仮想キーボードが表示され、前記仮想キーボードは、複数の仮想キーを備え、各仮想キーは、１つの文字にそれぞれ対応し、且つ各文字が対応する各仮想キーに表示され、前記タッチパネルは、ユーザの前記仮想キーボードに対する操作に基づいて、ユーザが入力したデータを識別し、且つ受信することを特徴とする電子装置。
【請求項２】
前記タッチパネルは、言語選択インターフェースを提供し、前記言語選択インターフェースは、複数の言語の選択項を備え、前記タッチパネルは、ユーザの前記言語選択インターフェース上でのタッチ操作に基づいて、ユーザが選択した言語を確定することを特徴とする請求項１に記載の電子装置。
【請求項３】
前記タッチパネルは、前記仮想キーボードの文字をユーザが選択した言語と一致する文字に調節し、調節された後の各文字は対応する前記仮想キーに表示されることを特徴とする請求項２に記載の電子装置。
【請求項４】
前記ディスプレイは、データ表示インターフェースを提供し、前記データ表示インターフェースに前記タッチパネルが受信したユーザの入力データが表示されることを特徴とする請求項１に記載の電子装置。
【請求項５】
１つの電子装置内で実行され、前記電子装置は、本体部材及び前記本体部材に回転可能に設置されたディスプレイ部材を備え、前記ディスプレイ部材には、ディスプレイが設置され、前記本体部材の操作面にはタッチパネルが設置されている人とコンピュータとの相互作用の方法において、
前記タッチパネルは、仮想キーボードを表示し、前記仮想キーボードは、複数の仮想キーを備えるステップと、
各仮想キーは、１つの文字にそれぞれ対応し、且つ各文字が対応する各仮想キーに表示されるステップと、
前記タッチパネルが、ユーザの前記仮想キーボードに対する操作を検知するステップと、
前記タッチパネルが、ユーザの前記仮想キーボードに対する操作に基づいて、ユーザが入力したデータを識別し、且つ受信するステップと、を備えることを特徴とする人とコンピュータとの相互作用の方法。
【請求項６】
前記人とコンピュータとの相互作用の方法は、
前記タッチパネルが、言語選択インターフェースを提供し、前記言語選択インターフェースが、複数の言語の選択項を備えるステップと、
前記タッチパネルが、ユーザの前記言語選択インターフェースに対するタッチ操作に基づいて、ユーザが選択した言語を確定するステップと、を備えることを特徴とする請求項５に記載の人とコンピュータとの相互作用の方法。
【請求項７】
前記人とコンピュータとの相互作用の方法は、
前記仮想キーボードの文字をユーザが選択した言語と一致する文字に調節し、且つ調節された後の各文字が対応する前記仮想キーに表示されるステップと、を備えることを特徴とする請求項６に記載の人とコンピュータとの相互作用の方法。
【請求項８】
前記人とコンピュータとの相互作用の方法は、
前記ディスプレイがデータ表示インターフェースを提供し、前記データ表示インターフェースに前記タッチパネルが受信したユーザの入力データが表示されるステップと、を備えることを特徴とする請求項５に記載の人とコンピュータとの相互作用の方法。
【発明の詳細な説明】
【技術分野】
【０００１】
本発明は、人とコンピュータとの相互作用に関し、特にタッチパネルを備える電子装置及び人とコンピュータとの相互作用の方法に関するものである。
【背景技術】
【０００２】
キーボードは、コンピュータシステムにおいてよく使われる入力装置である。しかし、現在のキーボードの各キーには、決められた文字が既に印刷されているため、１つのキーボードの文字は、１つ或いは２つの言語しか適用できない。従って、複数言語の入力要求を満たすことができない。
【発明の概要】
【発明が解決しようとする課題】
【０００３】
以上の問題点に鑑みて、本発明は、ユーザがキーボードを利用して容易にデータを入力することができる電子装置及び人とコンピュータとの相互作用の方法を提供することを目的とする。
【課題を解決するための手段】
【０００４】
上記の課題を解決するために、本発明の電子装置は、本体部材及び前記本体部材に回転可能に設置されたディスプレイ部材を備え、前記ディスプレイ部材には、ディスプレイが設置されており、前記本体部材の操作面には、タッチパネルが設置されており、前記タッチパネルは、仮想キーボードが表示され、前記仮想キーボードは、複数の仮想キーを備え、各仮想キーは、１つの文字にそれぞれ対応し、各文字は対応する各仮想キーに表示され、前記タッチパネルは、ユーザが前記仮想キーボードに対する操作に基づいて、ユーザが入力したデータを識別し、且つ受信する。
【０００５】
上記の課題を解決するために、本発明の人とコンピュータとの相互作用の方法は、１つの電子装置内で実行され、前記電子装置は、本体部材及び前記本体部材に回転可能に設置されたディスプレイ部材を備え、前記ディスプレイ部材には、ディスプレイが設置され、前記本体部材の操作面には、タッチパネルが設置されており、前記タッチパネルは、仮想キーボードが表示され、前記仮想キーボードは、複数の仮想キーを備えるステップと、各仮想キーは、１つの文字にそれぞれ対応し、各文字は対応する各仮想キーに表示されるステップと、前記タッチパネルは、ユーザが前記仮想キーボードに対する操作に基づいて検知するステップと、前記タッチパネルは、ユーザが前記仮想キーボードに対する操作に基づいて、ユーザが入力したデータを識別し、且つ受信するステップと、を備える。
【発明の効果】
【０００６】
本発明の人とコンピュータとの相互作用システム及びその方法は、タッチパネルに提供される仮想キー利用し、各文字が対応する仮想キーに表示される。これにより、ユーザは直接に各仮想キーに対応する文字を見ることができるため、ユーザはデータ入力に便利である。また、ユーザが複数の言語を入力したい場合、仮想キーに対応する文字を調節すればよい。
【図面の簡単な説明】
【０００７】
【図１】本発明に係る電子装置の斜視図である。
【図２】本発明に係る電子装置の機能モジュール図である。
【図３】本発明に係る人とコンピュータとの相互作用システムの機能モジュール図である。
【図４】本発明に係る電子装置において、入力言語として英語を選択した場合の仮想キーボードを示す図である。
【図５】本発明に係る電子装置の言語選択インターフェースを示す図である。
【図６】本発明に係る電子装置において、入力言語として日本語を選択した場合の仮想キーボードを示す図である。
【図７】本発明に係る人とコンピュータとの相互作用方法の流れ図である。
【発明を実施するための形態】
【０００８】
以下、図面に基づいて、本発明に係る電子装置及び人とコンピュータとの相互作用の方法について詳細に説明する。図１に示したように、電子装置１０は、ノートパソコン、ラップトップパソコン、タブレットパソコン、ＰＤＡ、デスクトップコンピュータ、ゲーム装置、ＤＶＤ、無線設備、テレビ、コーヒーメーカー或いは他の種類の携帯型或いは非携帯型の電子装置である。
【０００９】
電子装置１０は、ディスプレイ部材２０及び本体部材３０を備える。ディスプレイ部材２０は、回転可能に本体部材３０に設置されており、且つ本体部材３０に対して、開け位置或いは閉め位置の間で回転することができる。また、ディスプレイ部材２０は、ディスプレイ２２を備え、このディスプレイ２２は、ユーザインタフェースを表示することに用いられる。
【００１０】
本体部材３０は、電子装置１０の重要な部分であり、プリント基板、中央処理装置、ランダムアクセスメモリ、リードオンリーメモリ、拡張カード等の電子部材を収容し、且つ集積する。
【００１１】
本体部材３０の操作面には、タッチパネル３２が設置されている。タッチパネル３２は、マルチタッチを支持し、且つその幅は、両手で操作するのに適当な幅である。つまり、現在両手操作に適当な幅の最小値は、１８センチメートルであるため、タッチパネル３２の幅は１８センチメートル以上である。本実施形態において、タッチパネル３２は、本体部材３０の幅にほぼ等しい。大面積のタッチ区域を有するタッチパネル３２は、ユーザに便利な操作体験を提供し、また、人とコンピュータとの複雑な相互作用の応用を支持する。本実施形態において、タッチパネル３２のタッチ感知区域は、カーボンナノチューブ材料によって製造される。
【００１２】
図２に示したように、電子装置１０は、中央処理器１０１を備える。人とコンピュータとの相互作用システム４０は、電子装置１０内で実行される。
【００１３】
中央処理器１０１は、データを処理し、電子装置１０の全ての機能モジュールを制御し、且つ記憶装置１０２、ディスプレイ２２及びタッチパネル３２を備える。
【００１４】
記憶装置１０２は、データを保存することに用いられ、ランダムアクセスメモリ、フラッシュカード、ハードディスク等の記憶装置である。
【００１５】
ディスプレイ２２は、ユーザインタフェースを表示することに用いられる。本実施形態において、ディスプレイ２２は、抵抗膜方式或いは静電容量方式のタッチパネルである。
【００１６】
人とコンピュータとの相互作用システム４０は、ユーザがタッチパネル３２に入力した際のそのタッチの受信、応答及び処理を行う。
【００１７】
図３に示したように、人とコンピュータとの相互作用システム４０は、仮想キーボード表示モジュール４０１、文字表示モジュール４０２、タッチ感知モジュール４０３、言語選択モジュール４０４、データ受信モジュール４０５及びデータ表示モジュール４０６を備える。人とコンピュータとの相互作用システム４０は、記憶装置１０２の中に保存されているプログラム命令によって実行される。他の実施形態において、人とコンピュータとの相互作用システム４０は、ハードウェアチップ中のプログラム命令によって実行される。
【００１８】
仮想キーボード表示モジュール４０１は、タッチパネル３２に仮想キーボードを表示する。この仮想キーボードは、複数の仮想キーを備える。
【００１９】
文字表示モジュール４０２は、仮想キーボードの各仮想キーと文字とを対応させ、且つ各文字を対応する仮想キーに表示させることに用いられる。図４に示したように、本実施形態において、仮想キーボードの各仮想キーは、１つの英語の文字にそれぞれ対応する。例えば、一列目の左から一番目の仮想キーの文字は、英語のＱであり、一列目の左から二番目の仮想キーの文字は、英語のＷである。
【００２０】
タッチ感知モジュール４０３は、タッチパネル３２がユーザのタッチ操作を検知するのを制御することに用いられる。タッチパネル３２の幅は、両手の操作に適当な幅であるから、ユーザに便利な操作体験を提供することができる。
【００２１】
言語選択モジュール４０４は、タッチパネル３２に言語選択インターフェースを表示することに用いられる。この言語選択インターフェースは、複数の言語の選択項を備える。図５に示したように、本実施形態において、言語選択インターフェースは、中国語、Ｅｎｇｌｉｓｈ、日本語等の言語選択項を備える。言語選択モジュール４０４は、ユーザの言語選択インターフェース上でのタッチ操作に基づいて、ユーザが選択した言語を確定する。
【００２２】
ユーザが言語選択インターフェースからある言語を選択した後、文字表示モジュール４０２は、仮想キーボードの文字をユーザが選択した言語と一致する文字に調節し、且つ調節した後の各文字を対応する仮想キーに表示する。図６に示したように、本実施形態において、ユーザが言語選択インターフェースから日本語を選択した場合、言語選択モジュール４０４は、仮想キーの文字を日本語と一致する文字に調節し、調節された後の各文字は対応する仮想キーに表示される。例えば、一列目の左から一番目の仮想キーの文字を、日本語の「サ」に調節し、一列目の左から二番目の仮想キーの文字を、日本語の「シ」に調節する。
【００２３】
データ受信モジュール４０５は、ユーザの仮想キーボードに対するタッチ操作を識別し、且つユーザが入力したデータを受信することに用いられる。
【００２４】
データ表示モジュール４０６は、ディスプレイ２２に１つの図形化されたデータ表示インターフェースを提供し、且つこのデータ表示インターフェースにタッチパネル３２が受信したユーザの入力データを表示することに用いられる。
【００２５】
図７に示したように、人とコンピュータとの相互作用の方法は、以下のステップ（Ｓ７０１〜Ｓ７０７）を備える。ステップＳ７０１において、タッチパネル３２に仮想キーボードを表示する。この仮想キーボードは、複数の仮想キーを備える。
【００２６】
ステップＳ７０２において、仮想キーボードの各仮想キーと文字とが対応され、各文字が対応する仮想キーに表示される。図４に示したように、本実施形態において、仮想キーボードの各仮想キーは、１つの英語の文字にそれぞれ対応する。例えば、一列目の左から一番目の仮想キーの文字は、英語のＱであり、一列目の左から二番目の仮想キーの文字は、英語のＷである。
【００２７】
ステップＳ７０３において、タッチパネル３２に言語選択インターフェースが表示される。この言語選択インターフェースは、複数の言語の選択項を備える。図５に示したように、本実施形態において、言語選択インターフェースは、中国語、Ｅｎｇｌｉｓｈ、日本語等の言語選択項を備える。言語選択モジュール４０４は、ユーザの言語選択インターフェース上でのタッチ操作に基づいて、ユーザが選択した言語を確定する。
【００２８】
ステップＳ７０４において、ユーザの言語選択インターフェース上でのタッチ操作に基づいて、ユーザが選択した言語を確定する。
【００２９】
ステップＳ７０５において、ユーザが言語選択インターフェースからある言語を選択した後、文字表示モジュール４０２は、仮想キーボードの文字をユーザが選択した言語と一致する文字に調節し、調節された後の各文字は対応する仮想キーに表示される。図８に示したように、本実施形態において、ユーザが言語選択インターフェースから日本語を選択した場合、言語選択モジュール４０４は、仮想キーの文字を日本語と一致する文字に調節し、調節された後の各文字は対応する仮想キーに表示される。例えば、一列目の左から一番目の仮想キーの文字を、日本語の「サ」に調節し、一列目の左から二番目の仮想キーの文字を、日本語の「シ」に調節する。
【００３０】
ステップＳ７０６において、ユーザの仮想キーボードに対するタッチ操作を識別し、且つユーザが入力したデータを受信する。
【００３１】
ステップＳ７０７において、ディスプレイ２２に１つの図形化されたデータ表示インターフェースを提供し、且つデータ表示インターフェースにタッチパネル３２が受信したユーザの入力データを表示する。
【００３２】
本発明の人とコンピュータとの相互作用システム及びその方法は、タッチパネル３２に提供される仮想キー利用し、各文字が対応する仮想キーに表示される。これにより、ユーザは直接に各仮想キーに対応する文字を見ることができるため、ユーザはデータ入力に便利である。また、ユーザが複数の言語を入力したい場合、仮想キーに対応する文字を調節すればよい。
【符号の説明】
【００３３】
１０  電子装置
２０  ディスプレイ部材
２２  ディスプレイ
３０  本体部材
３２  タッチパネル
１０１  中央処理器
１０２  記憶装置
４０  人とコンピュータとの相互作用システム
４０１  仮想キーボード表示モジュール
４０２  文字表示モジュール
４０３  タッチ感知モジュール
４０４  言語選択モジュール
４０５  データ受信モジュール
４０６  データ表示モジュール
【図１】
2015022772.tif 000003
【図２】
2015022772.tif 000004
【図３】
2015022772.tif 000005
【図４】
2015022772.tif 000006
【図５】
2015022772.tif 000007
【図６】
2015022772.tif 000008
【図７】
2015022772.tif 000009